(57)【特許請求の範囲】
【請求項１】
着衣本体の幅方向に亘る上端辺と、上端辺の両端より着衣本体の下方に亘る左右の側端辺と、各側端辺より着衣本体の下方に亘る下端辺とを有する広い面積の当て布と、当て布よりも相対的に狭い面積を有する略方形のポケット布地とを備え、
当て布は、着衣本体の内側に配置し、上端辺を着衣本体の肩部線に相応させると共に、左右の側端辺を着衣本体の襟部線，袖付け部線に相応させて着衣本体の布地に縫い付け、
ポケット布地は、着衣本体の布地と当て布との間に配置し、上端辺を開放し、左右の側端辺を着衣本体の斜め下方に向けると共に、左右の側端辺を含む下端辺を着衣本体の下方に亘る当て布の面積内に縫い付け、
ポケット布地の開放した上端辺に相応させて着衣本体の布地面に形成し、または、ポケット布地面で形成したポケット口より、収納物を着衣本体の縦方向に対して斜め向きに収納するポケットを設けたことを特徴とするポケット構造。
【請求項２】
着衣本体の肩部に亘る上端辺と、上端辺の両端より下方に伸びて着衣本体の襟部，袖付け部に亘る左右の側端辺と、各側端辺より着衣本体の下方に亘る下端辺とを有する広い面積の当て布と、当て布よりも相対的に狭い面積を有する略方形のポケット布地とを備え、
当て布は、着衣本体の内側に配置し、上端辺を着衣本体の肩部線に相応させると共に、左右の側端辺を着衣本体の襟部線，袖付け部線に相応させて着衣本体の布地に縫い付け、
ポケット布地は、着衣本体の布地と当て布との間に配置し、上端辺を開放し、左右の側端辺を着衣本体の斜め下方に向けると共に、左右の側端辺を含む下端辺を着衣本体の下方に亘る当て布の面積内に縫い付け、
ポケット布地の開放した上端辺に相応させて着衣本体の布地面に形成したポケット口より、収納物を着衣本体の縦方向に対して斜め向きに収納するポケットを設けたことを特徴とするポケット構造。
【請求項３】
収納物脱落防止用のフックをポケット口に設けたことを特徴とする請求項１または２に記載のポケット構造。
【請求項４】
請求項１から請求項３のいずれかの請求項に記載の発明に係る構成を医療分野向けのユニフォームに備えたことを特徴とする上着衣。
【発明の詳細な説明】
【技術分野】
【０００１】  本発明は、着衣のポケット構造並びに同ポケット構造を備える着衣に係り、特に、携帯電話等の重量物をポケットに収納しても着衣者の肩部や首部に掛かる荷重を軽減可能な着衣に関するものである。
【背景技術】
【０００２】  一般に、上着衣の胸ポケットを例示すると、ポケット口を略真上向きの直線状に開口し、左右の側辺縁から底辺縁に亘る三辺を上着衣の前身頃に縫着することによる袋状に形成されている（特許文献１）。【０００３】  その上着衣では、胸ポケットに収納した重量物の荷重が着衣者の肩部や首部に掛かることによる肩こりが生じたり、殊に女性の場合、重量物が胸の膨らみに当たることによる不快感を与えたりする等の問題がある。この他に、着衣の布地が下方に引っ張られて着衣に皺が生じたり、着衣の形が歪んだりする等の問題もある。【０００４】  従来、携帯電話等の重量物をポケットに収納しても、着衣者が受ける重量負担を軽減可能な内ポケットを備える上着衣が提案されている（特許文献２）。【０００５】  その内ポケットは、上端辺を上着衣の肩部に縫い付けて中布を表地，裏地の各前身頃間の略全域に配置し、ポケット口をスリット状に裏地の前身頃に形成し、ポケット布地の上端辺をポケット口の下側辺に相応させて裏地の前身頃に縫い付けると共に、左右の側端辺並びに下端辺を中布に縫い付けることにより、上方を開放した略コ字状に縫製されている。【０００６】  その内ポケットに重量物を収納した場合、ポケットには下向きの荷重が掛かるが、この荷重はポケット布地と中布とに分散され、更には、ポケット布地が裏地の前身頃に縫い付けられているので、裏地と中布とに分散されるということにより、着衣者が受ける重量負担の軽減が図られている。
【先行技術文献】
【特許文献】
【０００７】
【特許文献１】特開２００１−３１６９２４
【特許文献１】特開２００１−１１７１８
【発明の概要】
【発明が解決しようとする課題】
【０００８】  上述した内ポケットでは、重量物を収納した場合、下向きの荷重が内ポケットに掛かる。この荷重をポケット布地と中布とに分散し、更には、裏地と中布とに分散するとしても、重量物の荷重が着衣者の肩部や首部に掛かることを避けられず、肩こりの発生を防ぎ切れない。また、胸ポケットとして備える場合、女性の特有の問題である重量物が胸の膨らみに当たることによる不快感を与えたりすることも防げない。【０００９】  本発明の解決しようとする課題は、重量物による荷重がポケットに掛かっても、その荷重を全体的に拡散乃至は分散させて支えられるポケット構造を構成するところにある。【００１０】  それと共に、胸ポケットとして備えても、重量物による荷重を全体的に拡散乃至は分散させて肩こりの発生を防ぎ、女性の特有の問題である重量物が胸の膨らみに当たることも防げるポケット構造を構成するところにある。【００１１】  その他に、着衣の布地が下方に引っ張られて着衣に皺が生じたり、着衣の形が歪んだりするのを防げ、収納物の脱落も防げるポケット構造を構成するところにある。
【課題を解決するための手段】
【００１２】  本願の請求項１に係る発明は、着衣本体の幅方向に亘る上端辺と、上端辺の両端より着衣本体の下方に亘る左右の側端辺と、各側端辺より着衣本体の下方に亘る下端辺とを有する広い面積の当て布と、当て布よりも相対的に狭い面積を有する略方形のポケット布地とを備え、  当て布は、着衣本体の内側に配置し、上端辺と左右の側端辺の三辺を着衣本体の布地に縫い付け、
ポケット布地は、着衣本体の布地と当て布との間、または、当て布の内側に配置し、上端辺を開放し、左右の側端辺を着衣本体の斜め下方に向けると共に、左右の側端辺を含む下端辺を着衣本体の下方に亘る当て布の面積内に縫い付け、
ポケット布地の開放した上端辺に相応させて着衣本体の布地面に形成し、または、ポケット布地面で形成したポケット口より、収納物を着衣本体の縦方向に対して斜め向きに収納するポケットを設けたことを特徴とする。【００１３】  本願の請求項２に係る発明は、着衣本体の肩部に亘る上端辺と、上端辺の両端より下方に伸びて着衣本体の襟部，袖付け部に亘る左右の側端辺と、各側端辺より着衣本体の下方に亘る下端辺とを有する広い面積の当て布と、当て布よりも相対的に狭い面積を有する略方形のポケット布地とを備え、
当て布は、着衣本体の内側に配置し、上端辺を着衣本体の肩部線に相応させると共に、左右の側端辺を着衣本体の襟部線，袖付け部線に相応させて着衣本体の布地に縫い付け、
ポケット布地は、着衣本体の布地と当て布との間に配置し、上端辺を開放し、左右の側端辺を着衣本体の斜め下方に向けると共に、左右の側端辺を含む下端辺を着衣本体の下方に亘る当て布の面積内に縫い付け、
ポケット布地の開放した上端辺に相応させて着衣本体の布地面に形成したポケット口より、収納物を着衣本体の縦方向に対して斜め向きに収納するポケットを設けたことを特徴とする。【００１４】  本願の請求項３に係る発明は、請求項１または２に記載の発明に係る構成に加えて、収納物脱落防止用のフックをポケット口に設けたことを特徴とする。【００１５】  本願の請求項４に係る発明は、請求項２または３に記載の発明に係る構成を医療分野向けのユニフォームに備えたことを特徴とする。
【発明の効果】
【００１６】  本願の請求項１に係る発明では、着衣本体の幅方向に亘る上端辺と、上端辺の両端より着衣本体の下方に亘る左右の側端辺と、各側端辺より着衣本体の下方に亘る下端辺とを有する広い面積の当て布を備え、上端辺と左右の側端辺の三辺を着衣本体の布地に縫い付け、また、当て布よりも相対的に狭い面積を有する略方形のポケット布地とを備え、上端辺を開放し、左右の側端辺を着衣本体の斜め下方に向けると共に、左右の側端辺を含む下端辺を着衣本体の下方に亘る当て布の面積内に縫い付け、ポケット布地の開放した上端辺に相応させて形成したポケット口より、収納物を着衣本体の縦方向に対して斜め向きに収納するポケットを設けたため、携帯電話等の重量物を収納することによる荷重がポケットに掛かっても、その荷重を当て布の上端辺と左右の側端辺の三辺に拡散乃至は分散させて支えられることにより、重量物による荷重の軽量感を着衣者に与えられる。【００１７】  本願の請求項２に係る発明では、着衣本体の肩部に亘る上端辺と、上端辺の両端より可能に伸びて着衣本体の襟部，袖付け部に亘る左右の側端辺と、各側端辺より着衣本体の下方に亘る下端辺とを有する広い面積の当て布を備え、上端辺を着衣本体の肩部線に相応させると共に、左右の側端辺を着衣本体の襟部線，袖付け部線に相応させて着衣本体の布地に縫い付け、また、当て布よりも相対的に狭い面積を有する略方形のポケット布地を備え、上端辺を開放し、左右の側端辺を着衣本体の斜め下方に向けると共に、左右の側端辺を含む下端辺を着衣本体の下方に亘る当て布の面積内に縫い付け、ポケット布地の開放した上端辺に相応させて着衣本体の布地面に形成したポケット口より、収納物を着衣本体の縦方向に対して斜め向きに収納するポケットを設けたため、携帯電話等の重量物を収納することによる荷重がポケットに掛かっても、その荷重を当て布の上端辺を着衣本体の肩部線に相応させると共に、左右の側端辺を着衣本体の襟部線，袖付け部線に相応させて着衣本体の布地に縫い付けた三辺に拡散乃至は分散させて支えられることにより、重量物による荷重の軽量感を着衣者に与えられ、肩こり等の発生を防げ、更には、着衣の布地が下方に引っ張られて着衣に皺が生じたり、着衣の形が歪んだりするのも防げる。【００１８】  殊に、胸ポケットとしても、女性の特有の問題である重量物が胸の膨らみに当たることを防げ、また、収納物の荷重を逃がせることにより、着心地の高い着用感を実現できる。【００１９】  本願の請求項３に係る発明では、収納物脱落防止用のフックをポケット口に設けたことにより、胸ポケットとしても、前屈みになっても、収納物の脱落を防げる。【００２０】  本願の請求項４に係る発明では、請求項２または３に記載の発明に係る構成を医療分野向けのユニフォームに備えたことにより、医療，看護，介護等の分野における関係者が長時間の就労を行うに伴っても、携帯電話等の重量物を収納することによる肩こり等の発生を防げ、また、着心地の高い着用感を保ててポケット収納物の脱落による障害等を防げる。
【図面の簡単な説明】
【００２１】
【図１】図１は、本発明に係るポケット構造を基本的な形態で示す説明図である。
【図２】図２は、図１のポケット構造による収納物の荷重分散状態を示す説明図である。
【図３】図３は、図１のポケット構造を備える医療分野向けのユニフォームを示す説明図である。
【図４】図４は、図３のポケット構造をユニフォームの内側より示す説明図である。
【図５】図５は、図３のポケット構造による収納物の荷重分散状態を示す説明図である。
【図６】図６は、収納物脱落防止用のフックをポケット口に設けて示す説明図である。
【図７】図７は、図６のフックによる収納物の脱落防止態様を示す説明図である。
【図８】図８は、図３のユニフォームに代えて、ポケット口を着衣の内側に設ける場合の説明図である。
【発明を実施するための形態】
【００２２】  図１は、本発明に係るポケット構造を基本的な形態で示す。図中、符号Ｘは着衣の幅方向を示し、Ｙは着衣の縦方向を示す。１は着衣本体の布地、２は着衣本体の内側に配置する当て布、３は当て布２に縫い付けるポケット布地を示す。
【００２３】  当て布２は、着衣本体１の幅方向Ｘに亘る上端辺２ａと、上端辺２ａの両端より着衣本体１の下方に亘る左右の側端辺２ｂ，２ｃと、各側端辺２ｂ，２ｃより着衣本体１の下方に亘る下端辺２ｄとを有する広い面積の一枚ものとして裁断されている。その当て布２は、上端辺２ａと左右の側端辺２ｂ，２ｃの三辺を着衣本体１の布地に縫い付ける（縫い目：符号４ａ〜４ｃ）ことにより、着衣本体１の内側に配置されている。
【００２４】  ポケット布地３は、当て布２よりも相対的に狭い面積を有する略方形のものが備えられている。このポケット布地３は、上端辺３ａを開放し、左右の側端辺３ｂ，３ｃを着衣本体１の斜め下方に向けると共に、左右の側端辺３ｂ，３ｃを含む下端辺３ｄを着衣本体１の下方に亘る当て布２の面積内に縫い付ける（縫い目：符号５ａ〜５ｃ）ことにより、着衣本体１の布地と当て布２との間に配置されている。
【００２５】  ポケット布地３によるポケット口３ｅは、ポケット布地３の開放した上端辺３ａに相応させてスリット状の切欠で着衣本体１の布地面に形成されている。ポケットＰは、ポケット布地３の両側端辺３ｂ，３ｃを着衣本体１の斜め下方に向けて着衣本体１の下方に亘る当て布２の面積内に縫い付けることにより、収納物を着衣本体１の縦方向Ｘに対して斜め向きに収納するよう設けられている。
【００２６】  ポケット口３ｅは、ポケット布地３の上端辺と着衣本体１の布地面に設けたスリットの下端辺とを包み込む縁取り帯（符号なし）で口上縁を縫着形成し、着衣本体１の布地面に設けたスリットの上端辺をポケットＰの内側でポケット布地３と縫い合わせて（縫い目：符号６）形成されている。
【００２７】  このように構成するポケット構造では、図２で示すようにポケット布地３の開放した上端辺３ａに相応させて形成したポケット口３ｅより、収納物Ｔを着衣本体１の縦方向Ｘに対して斜め向きに収納するポケットＰを設けたため、携帯電話等の重量物Ｔを収納することによる荷重がポケットＰに掛かっても、その荷重を当て布２の上端辺２ａと左右の側端辺２ｂ，２ｃの三辺に拡散乃至は分散させて支えられる（矢印方向）ことにより、重量物Ｔによる荷重の軽量感を着衣者に与えられる。
【００２８】  図３は、上述したポケット構造を医療分野向けのユニフォーム（上着衣）に適用した場合を示す。同図中、符号１０は上着衣の肩部、１１は襟部、１２は袖付け部を示す。これ以外の構成部分は、図１で示すと同じ構成部分と共通の符号で示す。
【００２９】  当て布２としては、図４で示すように着衣本体１の肩部１０に亘る上端辺２ａと、上端辺２ａの両端より下方に伸びて着衣本体１の襟部１１，袖付け部１２に亘る左右の側端辺２ｂ，２ｃと、各側端辺２ｂ，２ｃより着衣本体１の下方に亘る下端辺２ｄとを有する広い面積を有するものが備えられている。
【００３０】  その当て布２は、上端辺２ａを着衣本体１の肩部線１０に相応させると共に、左右の側端辺２ｂ，２ｃを着衣本体１の襟部線１１，袖付け部線１２に相応させて着衣本体１の布地に縫い付ける（縫い目：符号４ａ〜４ｃ）ことにより、着衣本体１の内側に配置されている。
【００３１】  ポケット布地３は、上端辺３ａを開放し、左右の側端辺３ｂ，３ｃを着衣本体１の斜め下方に向けると共に、左右の側端辺３ｂ，３ｃを含む下端辺３ｄを着衣本体１の下方に亘る当て布２の面積内に縫い付ける（縫い目：符号５ａ〜５ｃ）ことにより、着衣本体１の布地と当て布２との間に配置されている。
【００３２】  このように構成するポケット構造では、図５で示すようにポケット布地３の開放した上端辺３ａに相応させて形成したポケット口３ｅより、収納物Ｔを着衣本体１の縦方向に対して斜め向きに収納する胸ポケットＰを設けたため、携帯電話等の重量物Ｔを収納することによる荷重が胸ポケットＰに掛かっても、その荷重を当て布２の上端辺２ａと左右の側端辺２ｂ，２ｃの三辺に拡散乃至は分散させて支えられる（矢印方向）ことにより、重量物Ｔによる荷重の軽量感を着衣者に与えられる。
【００３３】  これにより、肩こり等の発生を防げ、更には、着衣の布地が下方に引っ張られて着衣に皺が生じたり、着衣の形が歪んだりするのも防げる。また、胸ポケットとしても、女性の特有の問題である重量物Ｔが胸の膨らみに当たることを防げ、収納物Ｔの荷重が胸の膨らみから逃がせることにより、着心地の高い着用感を実現できる。
【００３４】  図６は、収納物脱落防止用のフック７をポケット口に設けた場合を示す。このフック７としては、片端部をポケット口３ｅより内部に縫着し、他端部を雄雌の止め具７ｂ，７ｃで着脱自在にした帯状のタブを設けるようにできる。雄雌の止め具７ｂ，７ｃとしては、ホックまたは貼合せファスナーを取り付けるようにできる。
【００３５】  このようにフック７を設けると、図７で示すようにポケットＴの収納物である携帯電話ＴのストラップＳをフック７の帯内に挿通保持させることから、胸ポケットとしても、前屈みになっても、携帯電話Ｔの脱落を防げる。
【００３６】  上述した実施の形態では、着衣本体１の布地面に形成したポケット口３ｅより、収納物を着衣本体１の縦方向Ｘに対して斜め向きに収納するポケットＰを設ける場合に基づいて説明したが、図８で示すようにポケット布地３の開放した上端辺３ａに相応させてポケット布地面で形成したポケット口３ｅより、収納物を着衣本体１の縦方向に対して斜め向きに収納するポケットＰを設けるにも適用することができる。
【符号の説明】
【００３７】Ｐ      ポケット
１      着衣の布地
２      当て布
２ａ    当て布の上端辺
２ｂ，２ｃ    当て布の左右側辺
２ｄ    当て布の側端辺より着衣本体の下方に亘る下端辺
３      ポケット布地
３ａ    ポケット布地の上端辺
３ｂ，３ｃ    ポケット布地の側端辺
３ｄ    ポケット布地の下端辺
３ｅ    ポケット口
４ａ〜４ｃ    当て布の縫い目
５ａ〜５ｃ    ポケット布地の縫い目
７      物品脱落防止用フック
【図１】
0005541936.tif 000002
【図２】
0005541936.tif 000003
【図３】
0005541936.tif 000004
【図４】
0005541936.tif 000005
【図５】
0005541936.tif 000006
【図６】
0005541936.tif 000007
【図７】
0005541936.tif 000008
【図８】
0005541936.tif 000009